(57)【要約】  本発明は、レジスタ４０、レジスタの第１の側部に備えられ、洗浄装置１７０への接続のためにセットアップされる第１圧力センサ３０、レジスタの第２の側部に備えられ、血液回路への接続のためにセットアップされる第２圧力センサ５０を含み、第１圧力センサ、レジスタ、及び第２圧力センサが直列に接続され、第１圧力センサの測定結果と第２圧力センサの測定結果とを比較することによって、妥当性のチェックが行われ得る計算装置６０に第１圧力センサと第２圧力センサとが接続され得る血圧測定装置１０に関する。【選択図】図１
2011500113.tif 000002
【特許請求の範囲】
【請求項１】
レジスタ（４０）、レジスタ（４０）の第１の側部に備えられ、洗浄装置への接続のためにセットアップされる第１圧力センサ（３０）、レジスタ（４０）の第２の側部に備えられ、血液回路への接続のためにセットアップされる第２圧力センサ（５０）、を含む血圧測定装置（１０）であって、
第１圧力センサ（３０）、レジスタ（４０）、及び第２圧力センサ（５０）が直列に接続され、第１圧力センサ（３０）の測定結果と第２圧力センサ（５０）の測定結果とを比較することによって、妥当性のチェックが行われ得る計算装置（６０）に第１圧力センサ（３０）と第２圧力センサ（５０）とが接続され得る血圧測定装置。
【請求項２】
妥当性のチェックは、
第１圧力センサ（３０）によって測定される圧力ｐ１が、所定の最大圧力ｐ１ｍａｘよりも低いかどうかのチェック、及び／又は、
第１圧力センサ（３０）によって測定される圧力ｐ１が、所定の最小圧力ｐ１ｍｉｎよりも高いかどうかのチェック、及び／又は、
第１圧力センサ（３０）によって測定される圧力ｐ１と第２圧力センサ（５０）によって測定される圧力ｐ２との差が、所定の最小差圧ＤＥＬＴＡｐｍｉｎよりも大きいかどうかのチェック、及び／又は、
第１圧力センサ（３０）によって測定される圧力ｐ１と第２圧力センサ（５０）によって測定される圧力ｐ２との差が、所定の最大差圧ＤＥＬＴＡｐｍａｘよりも小さいかどうかのチェック、を含む請求項１に記載の血圧測定装置。
【請求項３】
アラーム装置をさらに含み、アラーム装置は、最大圧力又は最大差圧を越えたとき、または、最小圧力又は最小差圧に達しないときに、アラームを発するようにセットアップされる請求項２に記載の血圧測定装置。
【請求項４】
ディスプレイ装置をさらに含み、ディスプレイ装置は、妥当性のチェックの結果を表示するようにセットアップされる請求項１から３のいずれか１項に記載の血圧測定装置。
【請求項５】
妥当性のチェックの結果は、３つのステージにおいて表示され、第１のステージが妥当な結果を含み、第２のステージが逸脱した結果を含み、そして、第３のステージが妥当でない結果を含む請求項４に記載の血圧測定装置。
【請求項６】
計算装置は、第１圧力センサ（３０）によって確認される第１の測定結果と、第２圧力センサ（５０）によって確認される第２の測定結果とを考慮して、レジスタ（４０）内の洗浄率を計算するようにセットアップされる請求項１から５のいずれか１項に記載の血圧測定装置。
【請求項７】
レジスタ（４０）は、レジスタ（４０）の流量のエンコードされたバージョンで備えられる請求項１から６のいずれか１項に記載の血圧測定装置。
【請求項８】
計算装置は、コードを認識できるようにセットアップされる請求項７に記載の血圧測定装置。
【請求項９】
レジスタ（４０）、第１圧力センサ（３０）、及び第２圧力センサ（５０）は、ジョイントケーシング内に配置される請求項１から８のいずれか１項に記載の血圧測定装置。
【請求項１０】
レジスタ（４０）、第１圧力センサ（３０）、及び第２圧力センサ（５０）は、カテーテルに一体とされる請求項１から９のいずれか１項に記載の血圧測定装置。
【請求項１１】
血液サンプリングポートを含む請求項１から１０のいずれか１項に記載の血圧測定装置。
【請求項１２】
周囲の圧力への圧力センサ（３０，５０）の接続を可能にするようにセットアップされるコックを含み、コックは、機械的に、空気圧により、流体圧により、及び／又は電気的に操作され得る請求項１から１１のいずれか１項に記載の血圧測定装置。
【請求項１３】
各コックは、同時に開閉するようにセットアップされる請求項９に記載の血圧測定装置。
【請求項１４】
血圧測定装置（１０）における妥当性のチェックを実行するための方法であって、以下のステップ、
レジスタと洗浄装置との間の第１圧力を測定すること、
レジスタと血液回路との間の第２圧力を測定すること、
第１圧力センサ（３０）の測定結果と第２圧力センサ（５０）の測定結果とを比較することによって、妥当性のチェックを実行すること、
を含む方法。
【請求項１５】
妥当性のチェックは、
第１圧力センサ（３０）によって測定される圧力ｐ１が所定の最大圧力ｐ１ｍａｘよりも低いかどうかをチェックすること、及び／又は、
第１圧力センサ（３０）によって測定される圧力ｐ１が所定の最小圧力ｐ１ｍｉｎよりも高いかどうかをチェックすること、及び／又は、
第１圧力センサ（３０）によって測定される圧力ｐ１と第２圧力センサ（５０）によって測定される圧力ｐ２との差が、所定の最小差圧ＤＥＬＴＡｐｍａｘよりも大きいかどうかをチェックすること、
第１圧力センサ（３０）によって測定される圧力ｐ１と第２圧力センサ（５０）によって測定される圧力ｐ２との差が、所定の最大差圧ＤＥＬＴＡｐｍａｘよりも小さいかどうかをチェックすること、
を含む請求項１４に記載の方法。
【請求項１６】
最大圧力若しくは最大差圧を越えたとき、又は、最小圧力若しくは最小差圧に達しないときに、アラームが発せられる請求項１４又は１５に記載の方法。
【請求項１７】
妥当性のチェックの結果が表示される請求項１４から１６のいずれか１項に記載の方法。
【請求項１８】
妥当性のチェックの結果が３つのステージにおいて表示され、第１のステージが妥当な結果を含み、第２のステージが逸脱した結果を含み、そして第３のステージが妥当でない結果を含む請求項１４から１７のいずれか１項に記載の方法。
【請求項１９】
第１圧力センサ（３０）によって確認される第１の測定結果と第２圧力センサ（５０）によって確認される第２の測定結果とを考慮することによって、レジスタ（４０）内の洗浄率が計算される請求項１４から１８のいずれか１項に記載に方法。
【発明の詳細な説明】
【技術分野】
【０００１】
本発明は、血圧測定装置及び血圧測定装置を操作するための方法に関する。
【背景技術】
【０００２】
直接血圧測定が従来技術において知られている。血圧測定は、血管内の圧力トランスデューサによって実行される。
【０００３】
米国特許出願公開第２００６／０００９６９９において、分離しているが、同一の出力値を提供するために、２つの圧力センサを有する血圧測定機器が記述される。
【発明の概要】
【発明が解決しようとする課題】
【０００４】
血圧が測定されている間、カテーテルを経由するアクセスルートが例えばブロック（閉塞）され、又は、測定値は、血流内におけるカテーテル内のねじれによって測定値が歪められるような場合において、従来技術の血圧測定装置は誤った値を示す。
【０００５】
本発明の目的は、より信頼できる血圧測定を行うことができる装置及び方法を提供することであった。
【課題を解決するための手段】
【０００６】
この目的は、フローレジスタ、レジスタの第１側部に提供され、かつ洗浄装置への接続についてセットアップされる第１圧力センサ、レジスタの第２側部に提供され、かつ、血液回路への接続についてセットアップされる第２圧力センサを含み、第１圧力センサ、レジスタ、及び第２圧力センサが直列に接続され、かつ、第１圧力センサ及び第２圧力センサが計算装置に接続可能であり、測定結果を比較することによって、妥当性のチェックが行われ得る、血圧測定装置によって達成される。
【０００７】
望ましくは、血圧は、液体入りのカテーテルを経由して身体の外側で測定される。カテーテルの先端で形成する血液凝固を防止し、カテーテル材料の異種表面によって凝固系の作用の結果としてカテーテルが狭くなるか若しくは閉じてしまうことを防止するために、カテーテルの圧力測定ルーメンが、望ましくは、少量の液体で常に洗浄される。望ましくは、等浸透圧の０．９％の通常の食塩水が液体として使用される。望ましくは、洗浄率は時間あたり３ｍｌである。本発明による血圧測定装置を介して、カテーテルの洗浄をチェックすることが可能である。
【０００８】
血圧は、望ましくは、血管内に作用する血液のパルス波の圧力である。望ましくは、血圧は、相対的な圧力として測定される。望ましくは、血圧は、大動脈内で測定される。望ましくは、血圧は、液体入りのチューブ内で圧力トランスデューサによって測定される。それによって、血圧の正確な値を得ることが可能になる。
【０００９】
フローレジスタは、望ましくは、ガス（気体）の及び／又は液体の媒体内において、移動方向に対して作用する力をつくり出すレジスタである。望ましくは、レジスタを提供することによって、異なる流れの特性が、レジスタの前側又は後側において、ガスの及び／又は液体の媒体内でつくり出される。レジスタは、特に望ましくは、レジスタの前側又は後側において異なる圧力をつくり出すのに適している。望ましくは、レジスタは、洗浄毛細管として設計される。毛細管は、望ましくは、非常に微細な細長いキャビティである。それによって、層流をつくり出すことが可能になる。これは、この流れの特性が特に良く計算可能であり、非常に良く再生され得る毛細管が製造されるという有利性を有する。
【００１０】
望ましくは、レジスタは、タイヤフラムとして設計される。ダイヤフラムは、望ましくは、それを通じた少なくとも１つのガス及び／又は流体の流れを有するようにセットアップされる狭い断面を伴う要素である。それによって、特に好ましいコスト方式、例えば、射出成形又はレーザによって、レジスタを設計することが可能になる。ダイヤフラムはまた、ブロックされることが少なくなり、そして、実験的に良く計算可能になる。
【００１１】
圧力センサは、望ましくは、ガス及び／又は液体中の静圧を測定するのに適したセンサである。望ましくは、圧力センサは、物理的に可変な圧力を、圧力に比例する電気的な出力値に変換するようにセットアップされる。
【００１２】
望ましくは、ピエゾ抵抗圧力センサが使用される。血圧測定装置は、それによって、望ましいコストで提供され得る。望ましくは、圧電センサが使用される。それによって、外部パワーサプライを配置することが可能になる。さらに、固有振動及び反射効果が最小化される。望ましくは、歪みゲージが圧力センサとして使用される。電気的構造との組み合わせにおける、いかなるタイプのパス測定もまた考えられる。
【００１３】
望ましくは、洗浄装置は、ドリップコントローラ（重力注入）を伴うバッグである。望ましくは、バッグは、圧力カフを伴って備えられる。望ましくは、２００と５００ｍｍＨｇの間の圧力が、洗浄装置によってつくり出される。特に望ましくは、２９０と３１０ｍｍＨｇの間の圧力が洗浄装置によってつくり出される。
【００１４】
望ましくは、第１圧力センサは、患者の体の外に配置される。望ましくは、第１圧力センサ内の液体が、その液体がレジスタを通じて流れる前に測定され、しかも、レジスタを通じて流れた後に圧力が第２圧力センサによって測定されるように、第１圧力センサ、レジスタ、及び第２圧力センサは直列に接続される。
【００１５】
望ましくは、計算装置は、プログラマブル計算プロトコルを用いてプロセス情報を処理できる。望ましくは、モニタが計算装置として使用される。モニタは、望ましくは、生物の生命パラメータが測定され、かつモニタされる装置又は装置の組み合わせである。追加の装置の使用が、それによって回避される。望ましくは、マイクロコントローラ又はマイクロプロセッサが使用される。妥当性のチェックを実行するために特別にセットアップされ得る独立した装置が、それによって提供される。望ましくは、特に、実行されるべきさらなるタスクがある場合に、マイクロコントローラが、計算装置として与えられる。コンパレータ又は結合論理回路もまた考えられる。
【００１６】
妥当性のチェックは、測定された値が、適切に機能している場合に、システム内で生じ得るかどうかを試験するためにセットアップされるチェックである。
【００１７】
もし、洗浄がない場合には、システムは、適切に機能しない。これは、例えば、洗浄液についてのリザーバ、より詳細にはバッグが空である場合、洗浄装置と患者との間に与えられるコックが開かず、洗浄装置と患者との間に与えられるチューブはその内部にねじれを有し、血圧が測定されるカテーテルの先端が血流内において好適でない位置に設けられ、又は、カテーテルが患者の体内又は体外で、その内部にねじれを有する、ということを引き起こす。もし、洗浄がない場合、沈着物がカテーテルの開口を次第に狭くし、そして、完全にブロック（閉塞）する。ブロックの状態に従う間違った圧力が、その後、第２圧力センサで測定され得る。沈着の度合いに従って、測定値は、血圧と洗浄圧力との間のいかなる値をも取得し得る。この状況は、血圧信号の一部もまた測定信号に含まれるので、測定信号からは認識できない。誤診が、それによって起こり得る。さらに、自発的に又は完全な洗浄、例えば、高圧での手動の洗浄によって、分離されるときに、ダウンストリーム塞栓症に至る凝血が生じるということが起こり得る。
【００１８】
妥当性のチェックは、望ましくは、第１圧力センサでの圧力が、洗浄液リザーバ内の最小圧力に圧力センサの水柱を加えたものに対応する閾値に近くいかどうかのチェックを含む。この場合は、洗浄液フィードのエラー又空の洗浄リザーバが推定される。
【００１９】
妥当性のチェックはまた、望ましくは、第１圧力センサの測定値と第２圧力センサの測定値との間の差が減少しているかどうかのチェックを含む。この場合、第２圧力センサと患者との間で、カテーテルの断面が、狭くなるか又は完全に閉じたということが結論づけられ得る。
【００２０】
望ましくは、妥当性のチェックは、第１圧力センサによって測定される圧力の測定値と、第２圧力センサによって測定される圧力の測定値との間の所定の差が、所定の値に達していないかどうかのチェックを含む。代わりに、計算された流量が、所定の値に達していないかどうかのチェックでもある。この場合、洗浄液を伴う適切な洗浄が保証されないということが結論づけられ得る。これは、第２圧力センサと患者との間で閉じられたコック、第２圧力センサと患者との間で閉じられたチューブ、血流内で不適切に位置するカテーテルの先端、カテーテルの身体の内側及び／又は外側でのカテーテル内におけるねじれ、及び／又は、カテーテルの先端において現れている沈着物の存在によって引き起こされ得る。
【００２１】
本発明による血圧測定装置で、連続した洗浄プロセスをモニタし及び保証し、それによって、凝血による合併症を回避することが可能になる。さらに、圧力測定の間違った解釈を回避することができる。
【００２２】
望ましくは、妥当性のチェックは、
第１圧力センサによって測定される圧力ｐ１が、所定の最大圧力ｐ１ｍａｘよりも低いかどうかのチェック、及び／又は
第１圧力センサによって測定される圧力ｐ１が、所定の最小圧力ｐ１ｍｉｎよりも高いかどうかのチェック、
第１圧力センサによって測定される圧力ｐ１と第２圧力センサによって測定される圧力ｐ２との間の差が、所定の最小差圧ＤＥＬＴＡｐｍｉｎよりも大きいかどうかのチェック、及び／又は
第１圧力センサによって測定される圧力ｐ１と第２圧力センサによって測定される圧力ｐ２との間の差が、所定の最大差圧ＤＥＬＴＡｐｍａｘよりも小さいかどうかのチェック、を含む。それによって、測定された圧力値が妥当かどうか、または、システムに欠陥があるかどうかを容易に決定することが可能になる。所定の最大圧力ｐ１ｍａｘは、望ましくは、３００ｍｍＨｇと５００ｍｍＨｇとの間、特に望ましくは、５００ｍｍＨｇである。
【００２３】
この所定の最大圧力ｐ１ｍａｘは、例えば、手動の洗い流しの洗浄又は間違った操作によって、越えてしまう。
【００２４】
所定の最小圧力ｐ１ｍｉｎは、望ましくは、２００と３００の間、特に望ましくは、２００ｍｍＨｇである。
【００２５】
値ｐ１ｍｉｎに達しないということは、洗浄装置又は洗浄液の供給が阻害されたということを示し得る。もし、ｐ１が、ｐ１ｍｉｎの下に落ちると、バッグが空であるということになり得る。所定の最小差圧ＤＥＬＴＡｐｍｉｎは、望ましくは、２０と１００ｍｍＨｇの間、特に好ましくは、５０ｍｍＨｇである。もし、ＤＥＬＴＡｐｍｉｎに達しなければ、とても少量の液体がレジスタを通じて流れていると結論づけられ得る。
【００２６】
所定の最大差圧ＤＥＬＴＡｍａｘは、望ましくは、４００ｍｍＨｇと６００ｍｍＨｇとの間、特に望ましくは、５００ｍｍＨｇである。最大差圧ＤＥＬＴＡｐｍａｘは、例えば、手動の洗い流しの洗浄、又は間違った操作によって、越えてしまう。
【００２７】
望ましくは、血圧測定装置はまた、アラーム装置を含み、アラーム装置は、最大圧力若しくは最大差圧を越えたとき、又は、最小圧力若しくは最小差圧に達していないときに、アラーム音を発する。それによって、血液測定装置の不調に対して注意を引くことが可能になる。
【００２８】
特定のターゲットグループ、望ましくは、医師及び／又はケアワーカーは、それ故、アラームによって事件に気づく。アラーム装置は、事件についてターゲットグループの注意を引き出すために適した装置である。望ましくは、音響信号を与える装置が使用される。ターゲットグループはまた、それによって、彼らの注意が血圧測定装置に向けられていない場合に伝えられる。望ましくは、視覚的な信号を与える装置が使用される。それは、それによって、ターゲットグループに直接伝えることが可能である。それによって、さらなる情報を容易に与えることもできるようになる。
【００２９】
望ましくは、血圧測定装置はまた、ディスプレイ装置を含み、ディスプレイ装置は、妥当性のチェックの結果を表示するようにセットアップされる。それによって、血圧測定装置のユーザが、血圧測定の結果が使えるかどうかを推測することが可能になる。また、ユーザが、血圧が正しく測定され得るということのために、対策を講じることが可能になる。
【００３０】
ディスプレイ装置は、望ましくはモニタである。それによって、さらなる装置を提供することなく、妥当性のチェックの結果を表示することが可能になる。望ましくは、妥当性のチェックの結果は、カラーの形式で表示される。妥当性のチェックの肯定的な結果は、望ましくは、緑で表示され、妥当性のチェックの否定的な結果は、オレンジで表示される。望ましくは、妥当性のチェックの結果は、音響として示される。妥当性のチェックの否定的な結果は、望ましくは、警告のトーンの形式、例えば、上昇調及び下降調、又は、連続的に繰り返す調子で示される。妥当性のチェックの肯定的な結果は、望ましくは、妥当性のチェックの否定的な結果よりも静かなトーンで示される。
【００３１】
妥当性のチェックの結果は、それ故、システムが適切に機能しているかどうかの結論を可能にする。
【００３２】
望ましくは、妥当性のチェックの結果は、３つのステージで示され、第１のステージは、妥当な結果、第２のステージは、逸脱した結果、そして、第３のステージは、妥当でない結果を含む。それによって、血圧測定装置のユーザにとって、血圧測定装置、洗浄装置及び／又は血液回路の接続が、正しく機能しているかどうかを評価することもなおさら可能である。さらに、血圧測定装置のユーザは、手段がすぐにとられることが必要となる逸脱した結果の表示を介して、この方法において知らされる。
【００３３】
妥当な結果、又は肯定的な結果は、血圧測定装置、洗浄装置及び血液回路の接続が、適切に機能しているという結論を許容する結果となる。妥当でない結果又は否定的な結果は、主として、血圧測定装置、洗浄装置、及び／又は血液回路の接続内の誤りを提示する結果となる。逸脱した結果は、主として、血圧測定装置、洗浄装置、および血液回路の接続が適切に機能しているが、しかし、さらなる妥当性のチェックが、妥当でない結果をつくるであろうということを提示する。主として、逸脱した結果は、血圧測定装置内、洗浄装置内、及び血液回路の接続内において沈着物がある場合、及び適切な洗浄がある場合に起こる。
【００３４】
望ましくは、計算装置が、第１圧力センサによって確認され得る第１の測定結果と、第２圧力センサによって確認され得る第２の測定結果を考慮して、洗浄率を計算するためにセットアップされる。それによって、血圧測定装置及び血液回路への接続が適切に洗浄されることを容易に保証できるようになる。
【００３５】
洗浄率は、望ましくは、レジスタを通じた、単位時間あたりの液体の量についての値である。望ましくは、洗浄率は、ある時間内での、レジスタの断面を通じて移動する液体の体積である。
【００３６】
望ましくは、レジスタは、レジスタの流量定数のエンコードされたバージョンで備えられる。それによって、レジスタの流量定数を決定することが容易に可能になる。コーディングは、望ましくは、レジスタを認証する役割を果たす。望ましくは、血圧測定装置内には、レジスタのユーザのためのものである認証におけるデータが含まれる。望ましくは、コードは、流量定数が示すことについての情報を含む。望ましくは、レジスタ、キャパシタ、又はコネクタ、特に望ましくは、ストレージ要素又はクリップがコーディングのために使用される。
【００３７】
レジスタの流量定数は、望ましくは、レジスタの前側及び後側における圧力を知ることで、洗浄率が計算され得る定数である。
【００３８】
望ましくは、計算装置は、コードを認識するためにセットアップされる。それによって、計算装置は、コード内に含まれる情報に容易にアクセスできるようになる。コードの認識は、望ましくは、コードを、値に、特に望ましくは、流量定数に変換することを含む。特に望ましくは、その認識は、計算のための値の提供を含む。望ましくは、エンコーダが、血圧測定装置に簡単に接続されるように、セットアップされる。それによって、ラインを節約することが可能になる。
【００３９】
望ましくは、レジスタ、第１圧力センサ、及び第２圧力センサが、ジョイントケーシング内に配置される。それによって、血圧測定装置をユニットとして提供することが可能になる。このユニットは、望ましくは、洗浄装置及び血液回路の接続内に容易に接続可能になる。望ましくは、血圧測定装置は、使い捨ての装置として提供される。それによって、無菌の血圧測定装置を提供することが可能になる。望ましくは、洗浄率血圧センサ、すなわち、レジスタと第１及び第２圧力センサが、どのカテーテルにも接続され得る。
【００４０】
望ましくは、レジスタ、第１圧力センサ及び第２圧力センサは、カテーテルに一体に統合される。それによって、血圧測定装置を使用することが特に容易になる。それから、それは、ユーザ、望ましくは医師又はケアワーカーにとって、血圧測定装置をカテーテルに接続するということが不要になる。
【００４１】
望ましくは、血圧測定装置は、血液サンプリングポートを含む。非接触とされ、保護された（「閉じられた」）血圧サンプリング又は断続的なカテーテルの洗浄が、それによって可能になる。
【００４２】
望ましくは、血圧測定装置は、周囲の圧力に対する圧力センサの接続を可能にするようセットアップされるコックを含み、コックは、機械的に、空気圧により、流体圧により、及び／又は電気的に操作され得る。それによって、圧力センサをゼロに設定すること、又は、それらを周囲の圧力に合わせることが特に便利になり得る。
【００４３】
望ましくは、少なくとも２つのコックが与えられる。望ましくは、コックは、同時に開閉するようにセットアップされる。それによって、周囲の圧力と、圧力センサの間のシステムの要素が、圧力センサをゼロに設定することを不必要に困難にすることなく、圧力センサが周囲の圧力に接続されるように、コックが提供される。コックは、同時に開閉するように設定されるという理由から、全ての圧力センサは、同時に、かつ短時間に、ゼロに設定され得る。
【００４４】
望ましくは、その目的は、レジスタと洗浄装置との間の第１の圧力を測定すること、レジスタと血液回路との間の第２の圧力を測定すること、第１圧力センサの測定結果と第２圧力センサの測定結果とを比較することによって、妥当性のチェックを行うこと、のステップを含む、血圧測定装置において妥当性のチェックを実行するための方法によって達成される。
【００４５】
望ましくは、妥当性のチェックは、第１圧力センサによって測定される第１の圧力ｐ１が、所定の最大圧力ｐ１ｍａｘよりも低いかどうかをチェックすること、及び／又は、第１圧力センサによって測定される圧力ｐ１が、所定の最小圧力ｐ１ｍｉｎよりも高いかどうかをチェックすること、及び／又は、第１圧力センサによって測定される圧力ｐ１と第２圧力センサによって測定される圧力ｐ２との差が、所定の最小差圧ＤＥＬＴＡｐｍｉｎよりも大きいかどうかをチェックすること、及び／又は、第１圧力センサによって測定される圧力ｐ１と第２圧力センサによって測定される圧力ｐ２との差が、所定の最大差圧ＤＥＬＴＡｐｍａｘよりも小さいかどうかをチェックすること、を含む。
【００４６】
望ましくは、アラームは、最大圧力又は最大差圧を越えたとき、又は、最小圧力若しくは最小差圧に達しないときに、発せられる。
【００４７】
望ましくは、妥当性のチェックの結果が表示される。望ましくは、妥当性のチェックの結果は、３つのステージで表示され、第１のステージが、妥当な結果、第２のステージが逸脱した結果、そして、第３のステージが妥当でない結果を含む。
【００４８】
望ましくは、レジスタ内の洗浄率は、第１圧力センサによって確認され得る第１の測定結果、及び第２圧力センサによって確認され得る第２の測定結果を考慮して計算される。
【図面の簡単な説明】
【００４９】
本発明の望ましい実施形態は、添付の図面を用いてより詳細に以下に記述される。
【図１】図１は、本発明による血圧測定装置の具体例の図。
【図２】図２は、本発明による血圧測定装置の実施例のさらなる図。
【図３】図３は、本発明による方法の過程を例示するフローチャート。
【発明を実施するための形態】
【００５０】
図１は、本発明による血圧測定装置１０の実施例の図を示す。バッグ１７０が、第１圧力センサ３０に接続され、第１圧力センサ３０は、レジスタ４０に接続され、レジスタ４０は、第２圧力センサ５０に接続され、そして、第２圧力センサ５０は、カテーテル７０に接続されている。第１圧力センサ３０及び第２圧力センサ５０は、それぞれモニタ６０へのデータラインを有する。
【００５１】
バッグ１７０、第１圧力センサ３０、レジスタ４０、第２圧力センサ５０、及びカテーテル７０は、液体がバッグ１７０からレジスタ４０に、そして、レジスタ４０からカテーテル７０に流れるように、互いに接続され、レジスタ４０を通過する前に液体の圧力は、第１圧力センサ３０によって測定され、レジスタ４０を通過した後に、第２圧力センサ５０によって測定され得る。第１圧力センサ３０及び第２圧力センサ５０は、測定された圧力を、データラインを介して計算装置６０に送るようにセットアップされる。
【００５２】
計算装置６０は、第１圧力センサ３０によって測定される第１圧力が、所定の最大圧力よりも低いかどうか、第１圧力センサによって測定される第１圧力が、所定の最小圧力よりも高いかどうか、及び、第１圧力センサによって測定される第１圧力と第２圧力センサによって測定される第２圧力との間の差が、所定の最小差圧よりも大きいかどうか、をチェックするようにセットアップされる。
【００５３】
それによって、第２圧力センサ５０によって測定される血圧が妥当かどうか、及び血圧測定装置１０が適切に機能しているかどうかがチェックされ得る。バッグ１７０が空になると、第１圧力センサ３０によって測定される第１圧力は、所定の最大圧力よりも低くなる。もし、血圧測定装置１０内にブロックがある場合、第１圧力センサ３０によって測定される第１圧力は、所定の最小圧力よりも高くなる。もし、レジスタ４０を通る液体の適切な流れが保証されなければ、第１圧力センサ３０によって測定される第１圧力と第２圧力センサ５０によって測定される第２圧力との間の差は、所定の最小差圧よりも小さくなる。
【００５４】
患者を診断するための誤った血圧値の使用が、それによって防止される。カテーテル７０内で形成される沈着物もまた防止され、分離したときに、塞栓症に対して、すなわち、部分的又は完全に患者の血管をブロックするということも防止され得る。
【００５５】
図２は、本発明による第２の血圧測定装置１０のさらなる実施例の図を示す。図１に示される本発明による血圧測定装置１０に加えて、カテーテル７０に対する第１カップリング８０がここで与えられる。第１シャットオフコック９０が、このカップリング８０に取り付けられる。さらに、第２シャットオフコック１００がレジスタ４０に並列して配置される。第２カップリング１１０が、バッグ１７０に対する第１圧力センサ３０の側部に備えられる。血液サンプリングポート１３０、シリンジ１４０、及び三方コック１５０が、バッグ１７０に対するカップリング１１０の側部に備えられる。第３カップリング１６０が、三方コック１５０とバッグ１７０の間に配置される。
【００５６】
圧力センサ３０及び５０のゼロ点は、それによって容易に定められる。システムの個別の要素を交換することも可能である。例えば、第１カップリング８０及び第２カップリング１１０を緩めることによって、第１圧力センサ３０、レジスタ４０、第２圧力センサ５０、第２シャットオフコック１００、及び第１シャットオフコック９０の要素は、血圧測定装置１０から接続解除され、交換され得る。第２カップリング１１０及び第３カップリング１６０を緩めることによって、血液サンプリングポート１３０、シリンジ１４０、及び三方コック１５０の要素は、システムから接続解除され、他の要素と交換することが可能である。
【００５７】
血液サンプルは、血液サンプリングポート１３０を提供することによって採取され得る。シリンジ１４０を提供することによって、血液が吸い込まれ得るか、又は、カテーテル６０が断続的に洗浄される。
【００５８】
ゼロ点を定めるために、周囲の圧力が、第１圧力センサ３０及び第２圧力センサ５０で適用されるように、第１シャットオフコック９０が閉じられ、第２シャットオフコック１００が開かれ、そして、三方コック１５０が開かれる。
【００５９】
図３は、本発明による方法の過程を例示するフローチャートを示す。測定の開始時に、圧力ｐ１及びｐ２が測定され、その間に位置する流量（流れ）がレジスタの読み取りから計算される。もし、ｐ１が２００ｍｍＨｇよりも低ければ、例えば、洗浄リザーバが空であることで、内部流が、阻害されていると仮定される。もし、ｐ１が５００ｍｍＨｇよりも高ければ、洗浄圧力が高すぎであり、そして、例えば、断続的な洗浄が生じたと仮定され得る。もし、ｐ１とｐ２の間の差が５０ｍｍＨｇよりも小さければ、洗浄圧力が低すぎであり、そして、例えば、コックの設定が間違っていると仮定される。もし、ｐ１とｐ２との間の差が、５００ｍｍＨｇよりも大きければ、洗浄圧力が高すぎであり、そして、ここで、例えば、断続的な洗浄が存在するかもしれない。もし、流量が時間あたり２ｍｌよりも小さければ、カテーテルがブロックされ、そしてそれ故、洗浄率が低すぎるということが仮定される。もし、側方浸透流又は洗浄率が、時間あたり２０ｍｌよりも大きければ、洗浄率は高すぎるということになる。もし、全てのこれらの妥当性の観測が否定的であれば、測定値ｐ２は、信頼できるということを表し、測定値ｐ２は、ディスプレイ装置に表示される。そうでなければ、測定値は表示されず、問題の本質が示される。
【符号の説明】
【００６０】
１０…血圧測定装置、３０…第１圧力センサ、４０…レジスタ、５０…第２圧力センサ、６０…計算装置、７０…カテーテル、８０…第１カップリング、９０…第１シャットオフコック、１００…第２シャットオフコック、１１０…第２カップリング、１２０…チューブ、１３０…血液サンプリングポート、１４０…シリンジ、１５０…三方コック、１６０…第３カップリング、１７０…バッグ
【図１】
2011500113.tif 000003
【図２】
2011500113.tif 000004
【図３】
2011500113.tif 000005
【国際調査報告】
2011500113.tif 000006
2011500113.tif 000007
2011500113.tif 000008
2011500113.tif 000009
2011500113.tif 000010
2011500113.tif 000011